(57)【要約】【課題】キオスク端末装置を複数台並べて設置する場合の設置面積を最小限に抑えることが可能なキオスク端末装置の転倒防止構造を提供する。【解決手段】キオスク端末装置１の両側板３１に複数組の固定用穴７、９を設け、略Ｌ字形状の転倒防止金具３を、両側板３１に少なくとも１個固定する。複数台のキオスク端末装置１を並べて設置する場合には、隣接するキオスク端末装置１の右側板３１−１と左側板３１−２の複数組の固定用穴７、９のうち、相対しない組の固定用穴を少なくとも１組選択し、転倒防止金具３を固定する。【選択図】図１
2007293580.tif 000002
【特許請求の範囲】
【請求項１】
キオスク端末装置の側部に着脱自在に取り付けられる転倒防止具と、
前記転倒防止具の取り付け位置を決定する位置決め機構と、
を有することを特徴とするキオスク端末装置の転倒防止構造。
【請求項２】
前記転倒防止具は、断面Ｌ字型であることを特徴とする請求項１記載のキオスク端末装置の転倒防止構造。
【請求項３】
前記転倒防止具は、箱型部と、
前記箱型部の上部に設けられ、前記キオスク端末装置に取り付けられる取り付け部と、
を具備することを特徴とする請求項１記載のキオスク端末装置の転倒防止構造。
【請求項４】
前記位置決め機構は、前記キオスク端末装置の側面に設けられた複数の穴であり、前記転倒防止具は、前記穴にネジを介して取り付けられ、
取り付けられる穴を変えることにより、前記転倒防止具の取り付け位置が変えられることを特徴とする請求項１記載のキオスク端末装置の転倒防止構造。
【請求項５】
前記キオスク端末装置は、デジタル写真プリント用キオスク端末装置であることを特徴とする請求項１記載のキオスク端末装置の転倒防止構造。
【請求項６】
キオスク端末装置を並列に配置させるキオスク端末装置の配置方法であって、
隣接するキオスク端末装置に転倒防止具を、互いに重ならないような位置に取り付けて、キオスク端末装置を並列に配置することを特徴とするキオスク端末装置の配置方法。
【請求項７】
前記転倒防止具は、断面Ｌ字型であることを特徴とする請求項６記載のキオスク端末装置の配置方法。
【請求項８】
前記転倒防止具は、箱型部と、
前記箱型部の上部に設けられ、前記キオスク端末装置に取り付けられる取り付け部と、
を具備することを特徴とする請求項６記載のキオスク端末装置の配置方法。
【発明の詳細な説明】
【技術分野】
【０００１】
本発明は、キオスク端末装置の転倒防止構造に関し、さらに詳しくは、複数台のキオスク端末装置を並べて設置する場合に、キオスク端末装置間の間隔を小さくし、全体としての占有床面積を最小限に抑えることが可能なキオスク端末装置の転倒防止構造に関する。
【背景技術】
【０００２】
従来、自動販売機やキャビネット、電子機器等の転倒防止構造が提案されてい
る。（例えば、特許文献１、特許文献２、特許文献３参照）
【０００３】
【特許文献１】特開平９−２２４８３号公報
【特許文献２】特開２００４−３６１２１号公報
【特許文献３】特開平６−１３５９１号公報
【０００４】
これらの転倒防止構造は、設置する床面にネジ等で筐体を固定することを前提としている。
【発明の開示】
【発明が解決しようとする課題】
【０００５】
しかしながら、例えば、コンビニエンスストア等に設置される音楽配信やチケット販売等のキオスク端末装置や、電気量販店等に設置されるデジタル写真プリント用キオスク端末装置等は、店内での設置場所や機種変更等が頻繁に行われるため、設置床面への固定は行われないのが一般的である。この場合、地震等の揺れに対処する転倒防止策が装備されておらず問題である。
また、最近、デジタル写真プリント用のキオスク端末が電気量販店等に複数台並べて設置されるようになってきている。このような場合も、何らかの転倒防止策が必要と考えられるが、転倒防止策を講じることによる設置面積の増加を最小限に抑える必要がある。
【０００６】
本発明は、このような問題に鑑みてなされたもので、その目的とするところは、キオスク端末装置の転倒防止構造を提供し、キオスク端末装置を複数台並べて設置する場合の設置面積を最小限に抑えることが可能なキオスク端末装置の転倒防止構造を提供することである。
【課題を解決するための手段】
【０００７】
前述した課題を解決するための第１の本発明は、キオスク端末装置の側部に着脱自在に取り付けられる転倒防止具と、前記転倒防止具の取り付け位置を決定する位置決め機構と、を有することを特徴とするキオスク端末装置の転倒防止構造である。
前記転倒防止具は、断面Ｌ字型であることが望ましい。また、前記転倒防止具は、箱型部と、前記箱型部の上部に設けられ、前記キオスク端末装置に取り付けられる取り付け部と、を具備するようにしてもよい。
さらに、前記位置決め機構は、前記キオスク端末装置の側面に設けられた複数の穴であり、前記転倒防止具は、前記穴にネジを介して取り付けられ、取り付けられる穴を変えることにより、前記転倒防止具の取り付け位置が変えられる。
【０００８】
前記キオスク端末装置は、例えば、デジタル写真プリント用キオスク端末装置である。
【０００９】
第２の発明は、キオスク端末装置を並列に配置させるキオスク端末装置の配置方法であって、隣接するキオスク端末装置に転倒防止具を、互いに重ならないような位置に取り付けて、キオスク端末装置を並列に配置することを特徴とするキオスク端末装置の配置方法である。
【００１０】
これにより、複数のキオスク端末装置を並列に配列する場合に、キオスク端末装置の側面に設けられた複数の穴のうち、隣接したキオスク端末装置の転倒防止具と互いに重ならないように、位置決め機構により穴を選択することにより、キオスク端末装置を近接して並列に設置することができる。
【発明の効果】
【００１１】
本発明によれば、キオスク端末装置の転倒を防止することが可能となり、また、複数台のキオスク端末装置を並べて設置する場合に、設置面積を最小限に抑えることが可能である。
【発明を実施するための最良の形態】
【００１２】
以下、図面に基づいて本発明の好適な第１の実施形態について詳細に説明する。
図１は、キオスク端末装置の１例であるデジタル写真プリント用キオスク装置１（以下、キオスク端末装置と称する）の外観図、図２は、図１のキオスク端末装置１の下部の構造を示す図、図３は、転倒防止金具３、５の取り付け説明図、図４は、複数台のキオスク端末装置１を並べて配置する場合の説明図である。
【００１３】
図１（ａ）は、キオスク端末装置１の右視斜視図、図１（ｂ）は、同左視斜視図である。
キオスク端末装置１は、客が持参したＣＤ（compact disk）、ＳＤ(secure digital)カード、スマート・メディア等の各種記憶媒体に記憶されているデジタル写真データのなかから、客が選択したデジタル写真を印刷する装置である。
【００１４】
同図に示すように、キオスク端末装置１の筐体外面には、ディスプレイ１１、媒体入れ口１３、コイン投入口１７、札投入口１９、つり銭取り出し口２１、レシート取り出し口１５等が設けられている。
ここで、ディスプレイ１１は、例えば、タッチパネルを装備した液晶ディスプレイである。
また、媒体投入口１３は、媒体の種類ごとに設けられており、例えばＣＤの媒体投入口１３−１や、ＳＤカード、スマート・メディア等の複数の媒体投入口１３−２からなる。
【００１５】
また、キオスク端末装置１の前面は、プリント取り出し口扉２３、前面左扉２５、前面右扉２７の３種類の扉を有し、プリント取り出し口扉２３以外の扉は、メンテナンス時など以外は施錠されている。
【００１６】
また、キオスク端末装置１の筐体内部には、図示されていないが、ＣＰＵ（central processor unit）、ＲＡＭ（random access memory）、ＲＯＭ（read only
memory）等からなる制御装置やハードディスク装置、デジタル写真用プリンタ、金銭処理用のコインメック、レシート印刷用のプリンタ等が設置されている。
制御装置は、ＲＯＭ、ハードディスク装置等に格納されているソフトウエアによりディスプレイ１１やデジタル写真用プリンタ、コインメック等の制御を行う。
【００１７】
デジタル写真用プリンタは、前面左扉２５及びプリント取り出し口扉２３の後方の筐体内に複数代（例えば３台）設置されている。また、コインメック、レシート印刷用プリンタ等は、前面右扉２７後方の筐体内に設置されている。
よって、デジタル写真用プリンタを保守する場合には前面左扉２５を開け、コインメックやレシート印刷用プリンタを保守する場合には前面右扉２７を開け、保守を実施することができる。
【００１８】
キオスク端末装置１の右側板３１−１および左側板３１−２の下方には、それぞれ、複数組の固定用穴（左固定用穴７−１、７−２、７−３、右固定用穴９−１、９−２、９−３）が設けられている。１組２つの固定用穴からなり、例えば、図１では両側板にそれぞれ３組の固定用穴が設けられている。
【００１９】
そして、右側板３１−１には、右固定用穴９−１〜９−３のなかの９−１および９−３に転倒防止金具３−１および３−２を固定し、左側板３１−２には、左固定用穴７−１〜７−３のなかの７−２に転倒防止金具３−３を固定する。
このように、キオスク端末装置１の筐体の左右側板３１に少なくとも１個の転倒防止金具３を取り付けることにより、耐震強度を向上することができる。
【００２０】
また、キオスク端末装置１の筐体前面には、前後方向の転倒防止を図るために、前面転倒防止金具５が取り付けられている。
【００２１】
図２（ａ）は、キオスク端末装置１の前面扉２５および２７を取り払った筐体下部を正面から見た図、図２（ｂ）は、転倒防止金具の斜視図である。
【００２２】
図２（ａ）に示すように、筐体下部の底板４１には、略四隅に、レベル調整かつ固定用ネジ付きのアジャスタ３３−１〜３３−４と、キャスター３５−１〜３５−４がネジで取り付けられている。
キオスク端末装置１を移動する場合には、アジャスタ３３のレベル調整用ネジを短くして、キャスター３５が床面に接触するようにして移動する。設置位置では、アジャスタ３３のレベル調整用ネジを伸ばして、キャスター３５が床面から離れるようにし、キオスク端末装置１を設置する。
その後、転倒防止金具３−１〜３−３および前面転倒防止金具５を取り付ける。
【００２３】
転倒防止金具３、５は、図２（ｂ）に示すように、断面が略Ｌ字形状であり、スチール等よりなる。取り付け面には、固定用穴３７が設けられる。
アジャスタ３３のレベルを調整して床面に固定した後、図３に示すように、転倒防止金具３を側板３１にネジ３９で固定する。転倒防止金具３、５の固定用穴３７は、装置１のアジャスタ３３の高さ調整に合わせられるよう、高さ方向に長い切り穴にするとよい。
【００２４】
図４は、複数台のキオスク端末装置１、１’を設置する場合の転倒防止金具３の取り付け方法を説明する図である。キオスク端末装置１、１’を上から見た図である。
同図に示すように、隣接するキオスク端末装置１、１’とも、左側板３１−２、３１’−２には、３組の固定穴のうち中央の固定穴７−２、７’−２にそれぞれ１個の転倒防止金具３−３、３’−３を、右側板３１−１、３１’−１には、３組の固定穴のうちの２つの固定穴９−１、９−３、９’−１、９'−３にそれぞれ２個の転倒防止金具３−１、３−２、３’−１、３’−２を固定する。
【００２５】
以上のように、複数台のキオスク端末装置１を並べて設置する場合には、転倒防止金具３を互い違いに固定して重ならないようにすることにより、隣接するキオスク端末装置１間の距離を（転倒防止金具３の固定面の厚さ＋ネジ頭）まで狭くして設置することが可能になる。
【００２６】
次に、本発明の第２の好適な実施形態について説明する。
図５は、第１の実施形態の略Ｌ字型の転倒防止金具３、５に代わる転倒防止金具５１の斜視図である。
図５に示すように、転倒防止金具５１は、略箱型の例えばスチール等よりなる箱型部５３を有し、箱型部５３の上面長手方向中央部に固定用穴５９を有する取り付け板５５が溶接等により設けられている。取り付け板５５が箱上面に安定して固定できるように、取り付け板５５の両端を、同図に示すように略三角形状に折り曲げて取り付けてもよい。
【００２７】
図６は、転倒防止金具５１のキオスク端末装置１への取り付けを説明する図である。図６（ａ）はキオスク端末装置１を書面から見た図、図６（ｂ）はキオスク端末装置１の斜視図である。
キオスク端末装置１は、第１の実施の形態の説明における図１および図２の構造と同一であり、筐体下部の底板４１にはネジ付きアジャスタ３３およびキャスター３５が四隅に取り付けられ、右左の側板３１の下部には、複数の固定用穴（９−１、９−２、９−３、７−１、７−２、７−３）が設けられている。
【００２８】
図６（ｂ）に示すように、転倒防止金具５１の箱型部５３を、取り付け板５５がキオスク端末装置１の側板３１に接するまで、キオスク端末装置１の底板４１下部に挿し込む。そして、転倒防止金具５１の固定用穴５７と、キオスク端末装置１の側板３１の固定用穴（右固定用穴９あるいは左固定用穴７）を合わせてネジ３９で固定する。
図６（ｂ）の場合、右側板３１−１の右固定用穴９−１、９−３に２つの箱型転倒防止金具５１が取り付けられている。図示していないが、左側板３１−２には１つの箱型転倒防止金具５１を左固定用穴７−２に取り付けるようにすればよい。
また、転倒防止金具５１の固定用穴３７は、キオスク端末装置１のアジャスタ３３の高さ調整に合わせられるよう、高さ方向に長い切り穴にするとよい。
【００２９】
このように、複数の転倒防止金具５１を装置１に取り付けることにより、キオスク端末装置１の転倒を防止することが可能となり、また、複数のキオスク端末装置１を並べて設置する場合には、転倒防止金具５１を互い違いに固定して重ならないようにすることにより、隣接するキオスク端末装置１間の距離を（転倒防止金具５１の固定面の厚さ＋ネジ頭）まで狭くして設置することが可能になる。
【００３０】
第１の実施形態および第２の実施形態で、それぞれ、Ｌ字型の転倒防止金具３および箱型の転倒防止金具５１について説明したが、より安定にキオスク端末装置１を設置するには、Ｌ字型転倒防止金具３の場合は、設置面と接している部分の面積（設置面の長手方向の長さ）を大きくするほど安定する。一方、箱型の転倒防止金具５１の場合は、キオスク端末装置１の側板３１を箱全体で支えることができるので、キオスク端末装置１間の距離をより狭くすることが可能である。
【００３１】
尚、本発明は、前述した実施の形態に限定されるものではなく、種々の改変が可能であり、それらも、本発明の技術範囲に含まれる。例えば、本実施形態の転倒防止金具３、５、５１は略Ｌ字形状または箱型としたが、これに限定されるものではない。また、本実施の形態の側板には３組の固定穴を設けたが、２組あるいは４組以上であってもよい。さらに、本実施の形態では、転倒防止金具を、固定用穴にネジで固定する方法を説明したが、固定手段は、固定用穴とネジに限るものではない。例えば、転倒防止金具の固定手段として鉤状の凸部を設け、キオスク端末の側板の固定手段として、鉤状の凸部を差し込む凹部または穴を設けてもよい。本実施の形態では、キオスク端末装置をデジタル写真プリント用キオスク装置としたが、これに限定されるものではなく、種々のキオスク端末装置の転倒防止構造として適用できる。
【図面の簡単な説明】
【００３２】
【図１】第１の実施形態に係るデジタル写真プリント用キオスク端末装置１の斜視図
【図２】キオスク端末装置１の下部構造の説明図
【図３】転倒防止金具３の設置説明図
【図４】複数台のキオスク端末装置１を並べて設置する場合の転倒防止金具の取り付け方法の説明図
【図５】第２の実施の形態に係る転倒防止金具５１の斜視図
【図６】転倒防止金具５１のキオスク端末装置１への取り付け説明方法を説明する図
【符号の説明】
【００３３】
１………キオスク端末装置
３、５………転倒防止金具
７………左固定用穴
９………右固定用穴
３７………固定用穴
３９………ネジ
５１………転倒防止金具
５３………箱型部
５５………取り付け板
５７………固定用穴
【図１】
2007293580.tif 000003
【図２】
2007293580.tif 000004
【図３】
2007293580.tif 000005
【図４】
2007293580.tif 000006
【図５】
2007293580.tif 000007
【図６】
2007293580.tif 000008